(57)【特許請求の範囲】
【請求項１】
複数の光ファイバを整列させる光ファイバ整列用工具であって、
前記複数の光ファイバを所定の順序で整列させるファイバ整列部と、
前記複数の光ファイバの前記所定の順序を維持したまま前記複数の光ファイバを集めて保持するファイバ保持部と
を有し、
前記ファイバ整列部は、前記所定の順序で整列した前記光ファイバ同士の間を隔離する分離部を備え、前記分離部は、前記光ファイバ同士の間から退避可能であり、
前記ファイバ保持部は、
前記分離部が前記光ファイバ同士の間から退避した後に、前記分離部が再び前記光ファイバ同士の間を隔離する位置に戻ることを規制するストッパー部を備える
ことを特徴とする光ファイバ整列用工具。
【請求項２】
請求項１に記載の光ファイバ整列用工具であって、
前記ファイバ保持部が前記複数の光ファイバが整列する方向に前記複数の光ファイバを集めて保持する際に、前記光ファイバの光軸方向と前記複数の光ファイバが整列する方向との両方に垂直な方向に前記複数の光ファイバが挟まれており、
前記ストッパー部は、前記複数の光ファイバが挟まれる方向に前記分離部が移動することを規制する
ことを特徴とする光ファイバ整列用工具。
【請求項３】
請求項２に記載の光ファイバ整列用工具であって、
前記ファイバ保持部は、前記分離部を前記光ファイバ同士の間から退避させた後に、前記複数の光ファイバを集めて保持するスライド部を備え、
前記ストッパー部は、前記スライド部が前記分離部を再び前記光ファイバ同士の間を隔離する位置に戻すことを規制する
ことを特徴とする光ファイバ整列用工具。
【請求項４】
請求項３に記載の光ファイバ整列用工具であって、
前記ファイバ保持部は、前記光ファイバの光軸方向と前記複数の光ファイバが整列する方向との両方に垂直な方向に前記複数の光ファイバを挟む蓋部を備え、前記蓋部は、凸部を備えており、
前記スライド部は、係止部を備え、
前記蓋部を閉じた状態で、前記複数の光ファイバが挟まれる方向に前記分離部が移動する際に、前記係止部が前記凸部に係止する
ことを特徴とする光ファイバ整列用工具。
【請求項５】
請求項４に記載の光ファイバ整列用工具であって、
前記蓋部を開けると、前記ストッパー部による前記分離部の移動の規制が解除される
ことを特徴とする光ファイバ整列用工具。
【発明の詳細な説明】
【技術分野】
【０００１】
本発明は、光ファイバ整列用工具に関する。
【背景技術】
【０００２】
近年、光ファイバ敷設現場において光ファイバコードの端末に容易に組み立てることができる現場組立型光コネクタが提案されている。このような現場組立型光コネクタの一例として、工場にてあらかじめ内蔵光ファイバがフェルールに内挿固定されると共に、内蔵光ファイバの端部と光ファイバコード内の光ファイバの端部とを融着接続することで組み立てられる融着接続型の現場組立型光コネクタがある。
【０００３】
例えば、特許文献１には、複数の内蔵光ファイバを有するフェルールに関して、複数の内蔵光ファイバの端部と、光ファイバコード内の複数の光ファイバの端部とを融着接続することで組み立てられる融着接続型の現場組立型光コネクタが開示されている（特許文献１の図４１及び図４２を参照）。
【先行技術文献】
【特許文献】
【０００４】
【特許文献１】特表２０１５−５０８１８８号公報
【発明の概要】
【発明が解決しようとする課題】
【０００５】
光ファイバコードの端末に融着接続型の現場組立型光コネクタを組み立てる際、光ファイバコードから口出しされた複数の光ファイバを所定の順序及び所定のピッチで整列させ、さらに複数の光ファイバの所定の順序及び所定のピッチを保持する必要がある。しかし、光ファイバ敷設現場において複数の光ファイバを所定の順序及び所定のピッチで整列させ、保持することを手作業で行うことは困難であり、作業性が低下してしまうことが問題であった。
【０００６】
本発明は、複数の光ファイバを所定の順序及び所定のピッチで整列させ、保持する作業の作業性を向上させることを目的とする。さらに、本発明は、複数の光ファイバを所定の順序で整列させるファイバ整列部と、複数の光ファイバの所定の順序を維持したまま複数の光ファイバを集めて保持するファイバ保持部とを有し、ファイバ整列部が、所定の順序で整列した光ファイバ同士の間を隔離する分離部を備え、分離部が、光ファイバ同士の間から退避可能であるときに、分離部が光ファイバを挟み込み、光ファイバを損傷させてしまうことを抑制することを目的とする。
【課題を解決するための手段】
【０００７】
本発明の幾つかの実施形態は、複数の光ファイバを整列させる光ファイバ整列用工具であって、前記複数の光ファイバを所定の順序で整列させるファイバ整列部と、前記複数の光ファイバの前記所定の順序を維持したまま前記複数の光ファイバを集めて保持するファイバ保持部とを有し、前記ファイバ整列部は、前記所定の順序で整列した前記光ファイバ同士の間を隔離する分離部を備え、前記分離部は、前記光ファイバ同士の間から退避可能であり、前記ファイバ保持部は、前記分離部が前記光ファイバ同士の間から退避した後に、前記分離部が再び前記光ファイバ同士の間を隔離する位置に戻ることを規制するストッパー部を備えることを特徴とする光ファイバ整列用工具である。
【０００８】
本発明の他の特徴については、後述する明細書及び図面の記載により明らかにする。
【発明の効果】
【０００９】
本発明の幾つかの実施形態によれば、複数の光ファイバを所定の順序及び所定のピッチで整列させ、保持する作業の作業性を向上させることができる。
【００１０】
さらに、本発明の幾つかの実施形態によれば、複数の光ファイバを所定の順序で整列させるファイバ整列部と、複数の光ファイバの所定の順序を維持したまま複数の光ファイバを集めて保持するファイバ保持部とを有し、ファイバ整列部が、所定の順序で整列した光ファイバ同士の間を隔離する分離部を備え、分離部が、光ファイバ同士の間から退避可能であるときに、分離部が光ファイバを挟み込み、光ファイバを損傷させてしまうことを抑制することができる。
【図面の簡単な説明】
【００１１】
【図１】図１は、本実施形態の光ファイバ整列用工具１０の初期状態における斜視図である。
【図２】図２は、本実施形態の光ファイバ整列用工具１０の集合状態における斜視図である。
【図３】図３は、本体部１１の初期状態における分解斜視図である。
【図４】図４は、本体部１１の集合状態における分解斜視図である。
【図５】図５Ａ〜図５Ｄは、本実施形態の光ファイバ整列用工具１０で複数の光ファイバ１を集合させる前後の様子を示す説明図である。
【図６】図６Ａは、本体部１１の初期状態における概要説明図である。図６Ｂは、本体部１１の集合状態における概要説明図である。
【図７】図７Ａは、集合状態の本体部１１で、本体側蓋部１９を閉じた状態を示す説明図である。図７Ｂは、集合状態の本体部１１で、本体側蓋部１９を開けた状態を示す説明図である。
【図８】図８Ａは、光ファイバ１をファイバ挿入部２２に挿入した様子を示す斜視図である。図８Ｂは、複数の光ファイバ１を集合させた様子を示す斜視図である。
【図９】図９Ａは、複数の光ファイバ１をファイバホルダ６のＶ溝７に収容する様子を示す斜視図である。図９Ｂは、ファイバホルダ６の蓋部８を閉じる様子を示す斜視図である。
【図１０】図１０Ａ〜図１０Ｃは、比較例の光ファイバ整列用工具１０におけるファイバ挿入部２２に複数の光ファイバ１を挿入する様子を示す説明図である。
【図１１】図１１Ａは、第１変形例の光ファイバ整列用工具１０の斜視図である。図１１Ｂは、第２変形例の光ファイバ整列用工具１０の本体部１１の斜視図である。
【発明を実施するための形態】
【００１２】
後述する明細書及び図面の記載から、少なくとも以下の事項が明らかとなる。
【００１３】
複数の光ファイバを整列させる光ファイバ整列用工具であって、前記複数の光ファイバを所定の順序で整列させるファイバ整列部と、前記複数の光ファイバの前記所定の順序を維持したまま前記複数の光ファイバを集めて保持するファイバ保持部とを有し、前記ファイバ整列部は、前記所定の順序で整列した前記光ファイバ同士の間を隔離する分離部を備え、前記分離部は、前記光ファイバ同士の間から退避可能であり、前記ファイバ保持部は、前記分離部が前記光ファイバ同士の間から退避した後に、前記分離部が再び前記光ファイバ同士の間を隔離する位置に戻ることを規制するストッパー部を備えることを特徴とする光ファイバ整列用工具が明らかとなる。このような光ファイバ整列用工具によれば、分離部が光ファイバを挟み込み、光ファイバを損傷させてしまうことを抑制することができる。
【００１４】
前記ファイバ保持部が前記複数の光ファイバが整列する方向に前記複数の光ファイバを集めて保持する際に、前記光ファイバの光軸方向と前記複数の光ファイバが整列する方向との両方に垂直な方向に前記複数の光ファイバが挟まれており、前記ストッパー部は、前記複数の光ファイバが挟まれる方向に前記分離部が移動することを規制することが望ましい。これにより、分離部が光ファイバを挟み込み、光ファイバを損傷させてしまうことを抑制することができる。
【００１５】
前記ファイバ保持部は、前記分離部を前記光ファイバ同士の間から退避させた後に、前記複数の光ファイバを集めて保持するスライド部を備え、前記ストッパー部は、前記スライド部が前記分離部を再び前記光ファイバ同士の間を隔離する位置に戻すことを規制する
ことが望ましい。これにより、分離部が光ファイバを挟み込み、光ファイバを損傷させてしまうことを抑制することができる。
【００１６】
前記ファイバ保持部は、前記光ファイバの光軸方向と前記複数の光ファイバが整列する方向との両方に垂直な方向に前記複数の光ファイバを挟む蓋部を備え、前記蓋部は、凸部を備えており、前記スライド部は、係止部を備え、前記複数の光ファイバが挟まれる方向に前記分離部が移動する際に、前記係止部が前記凸部に係止することが望ましい。これにより、分離部が光ファイバを挟み込み、光ファイバを損傷させてしまうことを抑制することができる。
【００１７】
前記蓋部を開けると、前記ストッパー部による前記分離部の移動の規制が解除されることが望ましい。これにより、スライド部を初期位置に戻すことが可能となる。
【００１８】
＝＝＝本実施形態＝＝＝
＜光ファイバ整列用工具１０の全体構成＞
図１は、本実施形態の光ファイバ整列用工具１０の初期状態における斜視図である。図２は、本実施形態の光ファイバ整列用工具１０の集合状態における斜視図である。なお、図１では、ファイバホルダ６及び光ファイバ１を図示していないが、図２では、ファイバホルダ６及び集合状態の複数の光ファイバ１を図示している。ここで、複数の光ファイバ１における「集合状態」とは、複数の光ファイバ１が所定の順序で整列した状態であると共に、複数の光ファイバ１が集まって保持された状態である。そして、複数の光ファイバ１を「集合させる」とは、複数の光ファイバ１を集合状態にすることである。
【００１９】
以下では、図１及び図２に示す方向に従って説明を行うことがある。すなわち、光ファイバ整列用工具１０により保持される光ファイバ１の光軸方向を前後方向とする。図１及び図２に示すように、本実施形態の光ファイバ整列用工具１０では、本体部１１と、ホルダ載置部１２と、前側保持部１３とが前後方向にこの順で設けられており、ホルダ載置部１２に対する前側保持部１３の側を「前」とし、ホルダ載置部１２に対する本体部１１の側を「後」とする。また、ホルダ載置部１２の底面に垂直な方向を「上下方向」とし、ホルダ載置部１２の底面から見てファイバホルダ６が収容される側（図２を参照）を「上」とし、逆側を「下」とする。また、前後方向及び上下方向に垂直な方向を「左右方向」とする。後述するように、本実施形態の光ファイバ整列用工具１０では、ファイバ保持部１７のスライド部１８が本体部筐体１１Ａに対して左右方向にスライド可能に設けられている。このため、左右方向のことを「スライド方向」と呼ぶことがある。また、後述するように、本実施形態の光ファイバ整列用工具１０では、集合状態の複数の光ファイバ１は左右方向に整列している。このため、左右方向のことを「ファイバ整列方向」、又は単に「整列方向」と呼ぶこともある。さらに、後側から前側を見たときの右側を「右」とし、左側を「左」とする。なお、本体側蓋部１９のヒンジ側（又は前側蓋部４０のヒンジ側）が「左」であり、開閉側が「右」である。
【００２０】
光ファイバ整列用工具１０は、複数の光ファイバ１を集合させる工具である。本実施形態の光ファイバ整列用工具１０で複数の光ファイバ１を集合させる（すなわち、所定の順序で整列させ、さらに複数の光ファイバ１を集めて保持する）ことにより、当該複数の光ファイバ１を所定の順序及び所定のピッチで整列させるためのファイバホルダ６に容易にセットすることができる（後述）。すなわち、複数の光ファイバ１を所定の順序及び所定のピッチで整列させ、保持する作業（複数の光ファイバ１のファイバホルダ６へのセット作業）の作業性を向上させることができる。
【００２１】
本実施形態で使用されるファイバホルダ６（図２を参照）は、複数の光ファイバ１を所定の順序及び所定のピッチで整列した状態で保持する部材である。ファイバホルダ６によって光ファイバコード内の複数の光ファイバ１を所定の順序及び所定のピッチで整列した状態で保持することにより、被覆除去、切断（カット）などの加工を複数の光ファイバ１で一括して行うことができる。また、ファイバホルダ６によって光ファイバコード内の複数の光ファイバ１を所定の順序及び所定のピッチで整列した状態で保持することにより、複数の光ファイバ１と、フェルールに内挿固定された複数の内蔵光ファイバとの融着接続も一括して行うことができる。
【００２２】
本実施形態の光ファイバ整列用工具１０で保持される集合状態の複数の光ファイバ１は、所定の順序で整列している状態であると共に、隣り合う光ファイバ１同士が互いに接しつつ、一方向（ここでは左右方向）に整列している状態である（後述する図５Ｃの右側の図を参照）。但し、集合状態の複数の光ファイバ１は、隣り合う光ファイバ１同士が互いに接していなくても良い。例えば、集合状態の複数の光ファイバ１は、隣り合う光ファイバ１同士が互いに接していなくても、一方向（ここでは左右方向）に集まって整列している状態であれば良い。複数の光ファイバ１が所定の順序で整列している状態であると共に、一方向に集まって整列している状態であれば、ファイバホルダ６に所定のピッチで形成された複数のＶ溝７にそれぞれ容易に収容することができる。
【００２３】
なお、「集合状態」とは、所定の順序で、集まって整列した状態の複数の光ファイバ１を保持している光ファイバ整列用工具１０の状態を呼ぶこともある。また、集合状態の際の光ファイバ整列用工具１０の各構成（例えば、ファイバ整列部１６やスライド部１８）の位置を「集合位置」と呼ぶことがある。図２、図４、図５Ｃ及び図５Ｄは、本実施形態の光ファイバ整列用工具１０の集合状態を示しており、ファイバ整列部１６及びスライド部１８は集合位置に位置している。
【００２４】
また、集合状態となる前であり、複数の光ファイバ１を光ファイバ整列用工具１０にセット可能な状態（具体的に言うと、複数の光ファイバ１をファイバ整列部１６のファイバ挿入部２２に挿入可能な状態）を「初期状態」と呼ぶことがある。また、初期状態の際の光ファイバ整列用工具１０の各構成（例えば、後述するファイバ整列部１６やスライド部１８）の位置を「初期位置」と呼ぶことがある。図１、図３、図５Ａ及び図５Ｂは、本実施形態の光ファイバ整列用工具１０の初期状態を示しており、ファイバ整列部１６及びスライド部１８は初期位置に位置している。
【００２５】
光ファイバ整列用工具１０は、本体部１１と、ホルダ載置部１２と、前側保持部１３と、ファイバクランプ１４とを有する。本体部１１と、ホルダ載置部１２と、前側保持部１３とは、前後方向にこの順で設けられている。すなわち、本体部１１と、ホルダ載置部１２と、前側保持部１３とは、光ファイバ整列用工具１０により保持される光ファイバ１の光軸方向に沿って設けられている。
【００２６】
本体部１１は、複数の光ファイバ１を集合させる（複数の光ファイバ１を所定の順序で整列させると共に、複数の光ファイバ１を集めて保持する）部位である。本体部１１は、ホルダ載置部１２の後側に設けられている。
【００２７】
本体部１１は、本体部筐体１１Ａと、ファイバ整列部１６と、ファイバ保持部１７とを有する。
【００２８】
本体部筐体１１Ａは、ファイバ整列部１６とファイバ保持部１７とを収容する部位である。また、本体部筐体１１Ａは、ファイバ整列部１６を上下方向に移動可能に支持する部位である。さらに、本体部筐体１１Ａは、ファイバ保持部１７のスライド部１８を左右方向に移動可能に支持する部位である。図１に示すように、本体部筐体１１Ａには、橋部１５が設けられている。橋部１５は、初期状態と集合状態との両方の状態で複数の光ファイバ１が載置される場所である。橋部１５は、左右方向に延在する部位である。
【００２９】
ファイバ整列部１６は、複数の光ファイバ１を所定の順序で整列させる部位である。ファイバ整列部１６は本体部筐体１１Ａの内部に収容されている。なお、ファイバ整列部１６は、本体部筐体１１Ａに対して上下方向に移動可能に設けられている。また、ファイバ整列部１６は、ファイバ保持部１７のスライド部１８（腕部３１Ａ及び腕部３１Ｂ）に前後方向から挟まれるように設けられている。ファイバ整列部１６の詳細な構成と動作については、後述する。
【００３０】
ファイバ保持部１７は、複数の光ファイバ１を集めて保持する部位である。ここで、「集めて保持する」とは、ファイバホルダ６によって保持される対象の複数の光ファイバ１を、ファイバホルダ６のＶ溝７のピッチと同じか、又はファイバホルダ６のＶ溝７のピッチとほぼ同じピッチに整列した状態で保持することである。ファイバ保持部１７の詳細な構成と動作については、後述する。
【００３１】
ホルダ載置部１２は、ファイバホルダ６（図２を参照）を保持する部位である。ホルダ載置部１２は、本体部１１の前側に設けられ、前側保持部１３の後側に設けられている。ホルダ載置部１２にファイバホルダ６が載置（収容）されることにより、ファイバホルダ６が光ファイバ整列用工具１０に対して位置決めされる（保持される）。本実施形態では、本体部１１により保持される複数の光ファイバ１が、ファイバホルダ６に形成された複数のＶ溝７にそれぞれ収容される（後述）。このため、ファイバホルダ６が光ファイバ整列用工具１０に対して位置決めされることで、複数の光ファイバ１をファイバホルダ６に形成された複数のＶ溝７にそれぞれ容易に収容することができる。
【００３２】
前側保持部１４は、複数の光ファイバ１をファイバホルダ６よりも前側で保持する部位である。前側保持部１４は、ホルダ載置部１２の前側に設けられている。前側保持部１４には、前側カバー４０と、前側溝部４１とを有する。前側カバー４０は、複数の光ファイバ１を上側から挟む部位である。前側溝部４１は、複数の光ファイバ１が載置される部位である。前側溝部４１に載置された複数の光ファイバ１を前側カバー４０が挟むことにより、複数の光ファイバ１を保持することができる。但し、前側保持部１４が設けられなくても良い。
【００３３】
ファイバクランプ１４は、複数の光ファイバ１をクランプする部位である。ファイバクランプ１４は、光ファイバ整列用工具１０の最も後側に設けられている。ファイバクランプ１４により複数の光ファイバ１をクランプすることにより、複数の光ファイバ１の後側（根元側）をまとめて光ファイバ整列用工具１０に固定することができる。なお、ファイバクランプ１４は、複数の光ファイバ１を上から挟むクランプカバー４２を有する。
【００３４】
＜本体部１１の詳細構成＞
図３は、本体部１１の初期状態における分解斜視図である。図４は、本体部１１の集合状態における分解斜視図である。図５Ａ〜図５Ｄは、本実施形態の光ファイバ整列用工具１０で複数の光ファイバ１を集合させる前後の様子を示す説明図である。図６Ａは、本体部１１の初期状態における概要説明図である。図６Ｂは、本体部１１の集合状態における概要説明図である。なお、図３では、ファイバ挿入部２２（後述）に挿入された、集合する前の複数の光ファイバ１を図示している。また、図４では、集合状態の複数の光ファイバ１を図示している。前述したように、本実施形態の光ファイバ整列用工具１０では、本体部１１は、本体部筐体１１Ａのほかに、複数の光ファイバ１を所定の順序で整列させるファイバ整列部１６と、複数の光ファイバ１を集めて保持するファイバ保持部１７とを有する。
【００３５】
・ファイバ整列部１６
ファイバ整列部１６には、識別部２０と、分離部２１と、溝２４と、ピン２３（ピン２３Ａ及びピン２３Ｂ）とを有する。
【００３６】
識別部２０は、複数の光ファイバ１をファイバ挿入部２２（後述）に挿入する際に、複数の光ファイバ１をそれぞれ識別するため部位である。図３及び図４に示すように、識別部２０は、左右方向に複数設けられており、光ファイバ１の識別色に対応してそれぞれ着色が施されている。複数の識別部２０に対応するように、左右方向に複数のファイバ挿入部２２が設けられているので、作業者は、光ファイバ１の識別色と同じ色の識別部２０に対応するように設けられたファイバ挿入部２２に光ファイバ１を挿入することで、容易に複数の光ファイバ１を所定の順序で各ファイバ挿入部２２に挿入することができる。なお、図３及び図４に示すように、本実施形態の本体部１１では、複数の識別部２０は、複数のファイバ挿入部２２の後側（複数の光ファイバ１を挿入する際の手前側）に設けられている。これにより、光ファイバ１を後側から前側の方向に光ファイバ１を挿入する際に、光ファイバ１の識別色と識別部２０の色とを容易に対応させることができる。但し、光ファイバ１の識別色と識別部２０の色とを対応させることができる程度に識別部２０がファイバ挿入部２２の近傍に設けられていれば、複数の識別部２０は、複数のファイバ挿入部２２の後側に設けられていなくても良い。また、識別部２０が設けられなくても良い。
【００３７】
分離部２１は、整列した複数の光ファイバ１の間を隔離する部位である。本実施形態では、分離部２１は、前後方向に延在する壁として設けられている。なお、図３及び図４に示すように、溝２４が形成されている部分では、分離部２１が設けられていない。本実施形態では、光ファイバコードから口出しされた複数（ここでは、１２本）の光ファイバ１を１本ずつに隔離するために、複数（ここでは、１１個）の分離部２１が設けられている。複数の分離部２１は、左右方向に並んでおり、分離部２１同士の間にファイバ挿入部２２が形成されている。但し、ファイバ整列部１６の左右両端では、分離部２１と本体部筐体１１Ａとの間にファイバ挿入部２２が形成されている。ファイバ挿入部２２は、光ファイバ１が挿入される部位である。本実施形態では、このように形成された複数（ここでは、１２個）のファイバ挿入部２２に対して、複数の光ファイバ１をそれぞれ１本ずつ挿入することで、複数（ここでは、１２本）の光ファイバ１を１本ずつに分離することができる。なお、ファイバ挿入部２２（分離部２１）の個数は光ファイバコードから口出しされた光ファイバ１の本数に応じて変更することができる。また、ファイバ挿入部２２には、光ファイバ１を１本ずつ挿入するとは限らない。例えば、後述する第２変形例の光ファイバ整列用工具１０（図１１Ｂを参照）のように、ファイバ挿入部２２に対して光ファイバ１が２本ずつ挿入されても良い。
【００３８】
本実施形態では、光ファイバ１の識別色に対応して設けられている識別部２０と、識別部２０に対応して設けられているファイバ挿入部２２により、複数の光ファイバ１を所定の順序でファイバ挿入部２２にそれぞれ挿入することができる。ファイバ挿入部２２同士の間は、分離部２１によって隔離されている。つまり、複数の光ファイバ１がファイバ挿入部２２に挿入された状態では、光ファイバ１同士の間は分離部２１によって隔離されている。これにより、光ファイバ１同士の左右方向の位置が入れ替わることを抑制できるので、所定の順序で整列した複数の光ファイバ１の順序を維持することができる。また、所定の順序で整列した複数の光ファイバ１の順序を維持することができれば、分離部２１は、前後方向に延在する壁として設けられていなくても良い（光ファイバ１同士の間が壁で隔離されていなくても良い）。例えば、後述する第１変形例の光ファイバ整列用工具１０（図１１Ａを参照）のように、粘着部４７によって複数の光ファイバ１を粘着させることで、光ファイバ１同士の左右方向の位置が入れ替わることを抑制しても良い。
【００３９】
なお、図３及び図４に示すように、本実施形態では、分離部２１の後側にテーパ部２５が形成されている。具体的には、テーパ部２５は前側から後側に向かって左右方向の幅が小さくなるように形成されている。そうすると、ファイバ挿入部２２は、光ファイバ１を挿入する側（後側）に行くほど広がるように形成されていることになる。これにより、ファイバ挿入部２２に光ファイバ１を容易に挿入させることができる。
【００４０】
溝２４は、橋部１５が収容される部位である。なお、図３及び図４に示すように、溝２４はファイバ整列部１６の上面（分離部２１が設けられている面）において左右方向に延在する溝として形成されている。
【００４１】
ピン２３は、ファイバ整列部１６から突出する部位である。本実施形態では、前側及び後側に突出した一対のピン２３（ピン２３Ａ及びピン２３Ｂ）が設けられている。ピン２３Ａがファイバ整列部１６の後側に設けられ、ピン２３Ｂがファイバ整列部１６の前側に設けられている。但し、図３〜図６Ｂでは、ピン２３Ｂは図示していない。ピン２３（ピン２３Ａ及びピン２３Ｂ）は、後述するスライド部１８に設けられたレール部３０（３０Ａ及び３０Ｂ）に挿入されている。また、ピン２３は、レール部３０に対して移動可能に設けられている。ピン２３がレール部３０を移動することで、ファイバ整列部１６全体がスライド部１８に対して移動する。逆に言えば、スライド部１８を移動させることで、ファイバ整列部１６全体が移動する。
【００４２】
・ファイバ保持部１７
ファイバ保持部１７は、スライド部１８と、本体側蓋部１９とを有する。
【００４３】
スライド部１８は、初期状態と集合状態とを切り替える部位である。スライド部１８は、本体部筐体１１Ａに対して左右方向に移動可能に設けられている。スライド部１８は、レール部３０（レール部３０Ａ及びレール部３０Ｂ）と、腕部３１（腕部３１Ａ及び腕部３１Ｂ）と、肩部３２（肩部３２Ａ及び肩部３２Ｂ）と、ストッパー部３４とを有する。
【００４４】
レール部３０は、ファイバ整列部１６のピン２３が挿入される部位である。本実施形態では、前側及び後側に一対のレール部３０（レール部３０Ａ及びレール部３０Ｂ）が形成されている。レール部３０Ａがスライド部１８の後側に形成され、レール部３０Ｂがスライド部１８の後側に形成されている。但し、図３〜図６Ｂでは、レール部３０Ｂは図示していない。なお、レール部３０Ａにピン２３Ａが挿入され、レール部３０Ｂにピン２３Ｂが挿入されている（但し、図３〜図６Ｂでは、レール部３０Ｂ及びピン２３Ｂは不図示）。レール部３０Ａとレール部３０Ｂとは、ピン２３Ａとピン２３Ｂとをそれぞれ移動可能に支持している。
【００４５】
図５Ａ及び図５Ｃに示すように、レール部３０Ａとレール部３０Ｂとは、それぞれ上側レール部分４４と、傾斜部分４５と、下側レール部分４６とからなる。但し、図５Ａ及び図５Ｃでは、レール部３０Ａにおける上側レール部分４４Ａと、傾斜部分４５Ａと、下側レール部分４６Ａとを図示し、レール部３０Ｂにおける上側レール部分４４Ｂと、傾斜部分４５Ｂと、下側レール部分４６Ｂとを図示していない。上側レール部分４４と、傾斜部分４５と、下側レール部分４６とは、一体的に形成された開口部となっており、上側レール部分４４と、傾斜部分４５と、下側レール部分４６との間をピン２３が自在に移動できるようになっている。
【００４６】
上側レール部分４４は、ファイバ整列部１６が初期位置となる際にピン２３が位置するレール部３０の部分である。上側レール部分４４は、下側レール部分４６よりも上側に位置している。図５Ａに示すように、上側レール部分４４にピン２３が位置している際のファイバ整列部１６は、初期位置となっており、複数のファイバ挿入部２２に対して複数の光ファイバ１をそれぞれ挿入することが可能な状態である。図５Ａ及び図５Ｂに示すように、複数のファイバ挿入部２２に複数の光ファイバ１が挿入されると、分離部２１によって光ファイバ１同士が隔てられ、複数の光ファイバ１の所定の順序が維持された状態となっている。
【００４７】
傾斜部分４５は、ファイバ整列部１６が初期位置と集合位置との間を移動する際にピン２３が位置するレール部３０の部分である。傾斜部分４５は、上側レール部分４４と下側レール部分４６とを接続する部分である。前述したように、上側レール部分４４は、下側レール部分４６よりも上側に位置している。このため、傾斜部分４５は、上側レール部分４４から下側レール部分４６にかけて傾斜した部分となっている。
【００４８】
下側レール部分４６は、複数の光ファイバ１を集合させる際にピン２３が位置するレール部３０の部分である。下側レール部分４６は、上側レール部分４４よりも下側に位置している。傾斜部分４５をピン２３が通過し、ピン２３が下側レール部分４６の左端に達するまでスライド部１８を移動させると、分離部２１が本体部筐体１１Ａに対して下方へ移動し光ファイバ１同士が隔離されていない状態となる。すなわち、下側レール部分４６にピン２３が位置している間は、分離部２１が光ファイバ１同士の間から退避した状態となる。図５Ｃに示すように、下側レール部分４６の右端にピン２３が位置している際のファイバ整列部１６は、集合位置となっている。なお、下側レール部分４６にピン２３が位置している間は、複数の光ファイバ１は、橋部１５と本体側蓋部１９との間に挟まれた状態になっており、複数の光ファイバ１の所定の順序が維持された状態である。
【００４９】
腕部３１は、複数の光ファイバ１が載置される部位である。本実施形態では、初期位置と集合位置との両方で複数の光ファイバ１が腕部３１に載置される。なお、腕部３１のことを載置部３１と呼ぶことがある。後述するように、集合状態において分離部２１が下方へ退避した後でも、複数の光ファイバ１は腕部３１に載置されたままである。図３及び図４に示すように、本実施形態では、２つの腕部３１（腕部３１Ａ及び腕部３１Ｂ）が設けられている。それぞれの腕部３１（腕部３１Ａ及び腕部３１Ｂ）は、スライド部１８の上側において左側に延び出るように形成されている。腕部３１Ａ及び腕部３１Ｂのそれぞれの上面（以下、「載置面」と呼ぶことがある）に光ファイバ１が載置されることになる。なお、載置面は、左右方向及び前後方向に平行な面（言い換えると、上下方向に垂直な面）である。
【００５０】
肩部３２は、本体部筐体１１Ａと共に複数の光ファイバ１を挟んで保持する部位である。肩部３２は、腕部３１の右側端部において上側に突出する部位である。本実施形態では、２つの肩部３２（肩部３２Ａ及び肩部３２Ｂ）が設けられている。肩部３２Ａが腕部３１Ａから突出し、肩部３２Ｂが腕部３１Ｂから突出している。図４Ｃに示すように、本実施形態では、肩部３２は、集合状態において本体部筐体１１Ａと共に複数の光ファイバ１を挟んで保持する（すなわち、複数の光ファイバ１を集めて保持する）。
【００５１】
以下では、スライド部１８を初期位置から集合位置まで移動させる時の、ファイバ整列部１６とファイバ保持部１７との動作を説明する。図５Ａ及び図５Ｂは、初期状態において複数の光ファイバ１をファイバ挿入部２２（ファイバ整列部１６）に挿入したときの光ファイバ整列用工具１０を示している。図５Ａは、光ファイバ整列用工具１０を後側から前側を見たときの光ファイバ整列用工具１０の側面図を示している。また、図５Ｂは、左右方向に垂直な面で切ったときの光ファイバ整列用工具１０の断面図を示している。
【００５２】
図５Ａに示すように、初期状態のスライド部１８は、右側に位置している。このとき、ピン２３は上側レール部分４４の左端に位置している。このとき、分離部２１によって隔てられることで、複数の光ファイバ１を１本ずつに仕分けることが可能な状態となっている。つまり、作業者が複数の光ファイバ１を１本ずつファイバ挿入部２２に挿入可能となる。言い換えれば、作業者は、複数の光ファイバ１を各ファイバ挿入部２２に対してランダムに挿入していくことができる。
【００５３】
図５Ａ及び図５Ｂに示す初期状態から、作業者がスライド部１８を左側にスライドさせると、ピン２３は上側レール部分４４から傾斜部分４５に移動する。前述したように、傾斜部分４５は、上側レール部分４４と下側レール部分４６とを接続し、上側レール部分４４から下側レール部分４６にかけて傾斜した部分である。このため、スライド部１８のスライドに沿ってピン２３は傾斜部分４５を進むことになる。したがって、ピン２３が傾斜部分４５を進むことにより、ピン２３（ファイバ整列部１６）がスライド部１８に対して下方へ移動することになる。すなわち、ピン２３が傾斜部分４５を進むことにより、分離部２１が下方へ移動することになる。
【００５４】
図５Ｃ及び図５Ｄは、集合状態の光ファイバ整列用工具１０を示している。図５Ｃは、光ファイバ整列用工具１０を後側から前側を見たときの光ファイバ整列用工具１０の側面図を示している。また、図５Ｄは、左右方向に垂直な面で切ったときの光ファイバ整列用工具１０の断面図を示している。
【００５５】
前述した状態からさらに作業者がスライド部１８を左側にスライドさせると、ピン２３は傾斜部分４５から下側レール部分４６に移動する。これにより、分離部２１が光ファイバ１同士の間から退避した状態になり、分離部２１による複数の光ファイバ１の仕分けが解除された状態となっている。つまり、複数の光ファイバ１が左右方向の移動をすることが可能になる。但し、前述したように、複数の光ファイバ１は、本体側蓋部１９と、橋部１５との間で上下方向から挟まれて保持されている状態なので、複数の光ファイバ１の所定の順序は維持されたままである。
【００５６】
図５Ｄに示すように、集合状態のスライド部１８は、左側に位置している。このとき、ピン２３は下側レール部分４６の右端に位置している。これにより、肩部３２と筐体１１とが複数の光ファイバ１を挟んで保持する状態となっている。つまり、複数の光ファイバ１の所定の順序を維持したまま、複数の光ファイバ１が並ぶ方向（左右方向）に複数の光ファイバ１を挟んで保持する状態となっている（すなわち、複数の光ファイバ１を集めて保持する状態となっている）。
【００５７】
ストッパー部３４は、本体側蓋部１９を閉じたままスライド部１８を集合状態から初期状態に戻すことを規制する部位である。図３、図４、図５Ａ及び図５Ｃに示すように、ストッパー部３４は、スライド部１８の底面に対して、右斜め上方向に突出している。ストッパー部３４は、係止部３６と、弾性変形部３７とを有する。
【００５８】
係止部３６は、本体側蓋部１９の凸部３５と係止する部位である。係止部３６は、ストッパー部３４の突出側の端部に設けられている。係止部３６は、上側に突出する凸部分として形成されており、本体側蓋部１９を閉じた際に下側に突出する本体側蓋部１９の凸部３５と係止する（後述する図７Ａを参照）。
【００５９】
弾性変形部３７は、弾性変形することで係止部３６を押し下げることを可能にする部位である。弾性変形部３７は、ストッパー部３４の根元側を構成する。
【００６０】
本体側蓋部１９は、本体部筐体１１Ａの橋部１５と共に、複数の光ファイバ１を上下方向から挟む部位である。図５Ｂ及び図５Ｄに示すように、初期位置と集合位置との両方で本体側蓋部１９と、本体部筐体１１Ａに設けられた橋部１５及びスライド部１８の腕部３１との間で複数の光ファイバ１が挟んで保持されている。これにより、初期状態から集合状態にかけて複数の光ファイバ１は挟んで保持されているので、複数の光ファイバ１の所定の順序が維持された状態となっている。但し、分離部２１が下方へ（光ファイバ１同士の間から）退避してから、複数の光ファイバ１が所定の順序を保ったまま左右方向の移動をすることは可能である。
【００６１】
なお、本体側蓋部１９は、凸部３５を有する。凸部３５は、本体側蓋部１９を閉じたままスライド部１８を集合状態から初期状態に戻す際に、ストッパー部３４の係止部３６が係止する部位である。凸部３５は、本体側蓋部１９のヒンジ側に設けられている。図５Ａ及び図５Ｃに示すように、本体側蓋部１９を閉じた際、凸部３５は下側に突出しており、上側に突出する凸部分として形成されたストッパー部３４の係止部３６が係止する（後述する図７Ａを参照）。
【００６２】
図７Ａは、集合状態の本体部１１で、本体側蓋部１９を閉じた状態を示す説明図である。図７Ａに示す集合状態では、前述したように、分離部２１が光ファイバ１同士の間から退避した状態となっている。なお、集合状態の複数の光ファイバ１の上側は、本体側蓋部１９によって挟まれた状態となっている。この状態で、作業者がスライド部１８を右側（初期位置側）に移動させようとすると、ストッパー部３４に設けられた係止部３６が本体側蓋部１９に設けられた凸部３５に係止することによって、スライド部１８を集合状態（左側に位置している状態）から初期状態（右側に位置している状態）に戻すことが規制される。仮に、ストッパー部３４が無い場合、作業者がスライド部１８を右側（初期位置側）に移動させようとすると、分離部２１が上昇して本体側蓋部１９との間で光ファイバ１を挟み込んでしまうおそれがある。つまり、分離部２１と本体側蓋部１９との間で光ファイバ１を挟み込み、光ファイバ１を損傷させてしまうおそれがある。したがって、本実施形態の光ファイバ整列用工具１０は、ストッパー部３４を有することで、集合状態のスライド部１８が不意に初期位置側に戻ることにより、分離部２１と本体側蓋部１９との間で光ファイバ１を挟み込み、光ファイバ１を損傷させてしまうことを抑制することができる。
【００６３】
図７Ｂは、集合状態の本体部１１で、本体側蓋部１９を開けた状態を示す説明図である。図７Ｂに示すように、本体側蓋部１９を開けると、本体側蓋部１９のヒンジ側に設けられた凸部３５が上側に移動する。これにより、作業者がスライド部１８を右側（初期位置側）に移動させると、係止部３６が凸部３５に接触することなく凸部３５の下側を移動することが可能となる。すなわち、ストッパー部３４が係止部３６に係止することなく、スライド部１８を右側（初期位置側）に移動させることが可能となる。仮に、光ファイバ１が載置面に残置されている場合でも、本体側蓋部１９を開けた状態であるので、分離部２１と本体側蓋部１９との間で光ファイバ１を挟み込んでしまうことがない。
【００６４】
前述の図７Ａ及び図７Ｂでは、スライド部１８を左側（集合位置側）から右側（初期位置側）に移動させる場合について説明した。ところで、本実施形態では、スライド部１８を右側（初期位置側）から左側（集合位置側）に移動させる場合にも、本体側蓋部１９を閉じたままである。すなわち、この場合でも、ストッパー部３４に設けられた係止部３６が本体側蓋部１９に設けられた凸部３５に接触することになる。
【００６５】
本実施形態では、係止部３６には、斜面３６Ａが設けられている。斜面３６Ａは、係止部３６の左側の面である。すなわち、斜面３６Ａは、右側（初期位置側）から左側（集合位置側）にスライド部１８を移動させる際に、凸部３５に接触する面である。斜面３６Ａは、左斜め上方向を向く斜面として形成されている。なお、前述の図５Ｃにおいて、凸部３５が斜面３６Ａに接触した際のストッパー部３４の様子を破線で示している。本実施形態では、凸部３５が斜面３６Ａに接触することで、係止部３６は、凸部３５から下方向の力を受け、弾性変形部３７が弾性変形することで、係止部３６が押し下げられる。これにより、係止部３６が凸部３５の下側を移動することが可能となる。つまり、スライド部１８を右側（初期位置側）から左側（集合位置側）に移動させる場合には、係止部３６が凸部３５に係止せずに、スライド部１８が初期状態から集合状態に移行することは規制されない。
【００６６】
＜複数の光ファイバ１のファイバホルダ６へのセット方法（セット手順）＞
図８Ａは、光ファイバ１をファイバ挿入部２２に挿入した様子を示す斜視図である。図８Ｂは、複数の光ファイバ１を集合させた様子を示す斜視図である。図９Ａは、複数の光ファイバ１をファイバホルダ６のＶ溝７に収容する様子を示す斜視図である。図９Ｂは、ファイバホルダ６の蓋部８を閉じる様子を示す斜視図である。なお、図９Ａで説明するファイバホルダ６のＶ溝７の形状については、図２を参照する。
【００６７】
まず、図８Ａに示すように、作業者は、複数の光ファイバ１を各ファイバ挿入部２２にそれぞれ収容する。作業者は、複数の光ファイバ１を各ファイバ挿入部２２にそれぞれ収容する前に、光ファイバ整列用工具１０が初期状態であることを確認する。すなわち、図８Ａに示すように、スライド部１８が右側に位置していることを確認する。初期状態では、分離部２１が複数の光ファイバ１を１本ずつに隔離する状態となっており、作業者が複数の光ファイバ１を各ファイバ挿入部２２に対してランダムに挿入可能な状態となっている。図８Ａに示すように、複数（ここでは、７本）の光ファイバ１がファイバ挿入部２２にランダムに挿入されている。
【００６８】
図８Ａは、複数の光ファイバ１をファイバ挿入部２２に挿入した様子を示す斜視図である。前述したように、本実施形態では、複数（ここでは、１２個）のファイバ挿入部２２が設けられている。ファイバ挿入部２２同士の間は、分離部２１によって隔離されている。このため、作業者は、複数の光ファイバ１を各ファイバ挿入部２２に対してランダムに挿入していくことができる。すなわち、複数のファイバ挿入部２２の内、右側から順番に光ファイバ１を挿入していく必要がない。図８Ａに示すように、任意のファイバ挿入部２２に対して光ファイバ１を挿入することができる。このとき、前述したように、光ファイバ１の識別色と識別部２０の色とを対応させて、所定のファイバ挿入部２２に光ファイバ１を挿入する。これにより、複数の光ファイバ１を所定の順序で容易に整列させることができる。
【００６９】
次に、図８Ｂに示すように、作業者は、スライド部１８をスライドする。作業者は初期状態において右側に位置していたスライド部１８を左側にスライドすることになる。これにより、ピン２３は上側レール部分４４から傾斜部分４５に移動する。そうすると、ピン２３が傾斜部分４５を進むことにより、ピン２３（ファイバ整列部１６）がスライド部１８に対して下方へ移動することになる。すなわち、ピン２３が傾斜部分４５を進むことにより、分離部２１が下方へ退避することになる。作業者がさらにスライド部１８を左側にスライドすると、ピン２３は傾斜部分４５から下側レール部分４６に移動する。これにより、分離部２１が腕部３１の光ファイバ１の載置面よりも下側に位置することになる。すなわち、複数の光ファイバ１の所定の順序を保ったまま左右方向の移動をすることが可能となっている（すなわち、複数の光ファイバ１を集合させることが可能となっている）。集合位置までスライド部１８をスライドさせることにより、複数の光ファイバ１の所定の順序を維持したまま、複数の光ファイバ１が並ぶ方向に複数の光ファイバ１を挟んで保持することができる。なお、腕部３１の載置面は、光ファイバ１を載置した状態で左右方向に移動させることが可能である。
【００７０】
次に、図９Ａに示すように、作業者は、複数の光ファイバ１をファイバホルダ６の各Ｖ溝７（Ｖ溝７については、図２を参照）にそれぞれ収容する。
【００７１】
前述した図８Ｂでは、複数の光ファイバ１を集合させた様子を示していた。集合状態では、光ファイバ１同士が所定のピッチで配置された状態で複数の光ファイバ１が保持されている。このため、図９Ａに示すように、作業者は、ファイバホルダ６の上から複数の光ファイバ１を前後方向に撫でるように抑えることで、容易に複数の光ファイバ１をファイバホルダ６の各溝に収容することができる。
【００７２】
次に、図９Ｂに示すように、作業者は、ファイバホルダ６のカバーを閉じて複数の光ファイバ１を保持する。これにより、複数の光ファイバ１がファイバホルダ６によって所定の順序及び所定のピッチで保持されることになる。最後に、作業者は、複数の光ファイバ１を保持するファイバホルダ６をホルダ保持部１３から取り出す。
【００７３】
＜比較例＞
図１０Ａ〜図１０Ｃは、比較例の光ファイバ整列用工具１０におけるファイバ挿入部２２に複数の光ファイバ１を挿入する様子を示す説明図である。なお、図１０Ａ〜図１０Ｃでは、説明を容易にするために、ファイバ整列部１６のみ図示している。
【００７４】
図１０Ａに示すように、比較例の光ファイバ整列用工具１０では、ファイバ整列部１６に分離部２１が設けられていない。このため、図１０Ｂに示すように、比較例の光ファイバ整列用工具１０では、ファイバ整列部１６に設けられた一つのファイバ挿入部２２に全ての複数の光ファイバ１が挿入されることになる。
【００７５】
ところで、比較例の光ファイバ整列用工具１０においても、複数の光ファイバ１を所定の順序で整列させることができる。すなわち、ファイバ挿入部２２の上下方向の幅は、光ファイバ１の外径とほぼ同じ大きさで形成されている。したがって、図１０Ｂに示すように、右側から詰めて光ファイバ１を挿入していくことで、全ての複数の光ファイバ１を挿入したときに、所定の順序で整列させることができる。
【００７６】
ところが、右側に詰められた挿入済の光ファイバ１は、それぞれ左右方向に移動可能である。このため、図１０Ｃに示すように、右側に詰められるべき光ファイバ１が左側に移動してしまい、光ファイバ１同士の間に空間が空いてしまうことがある。この空いた空間に挿入対象の光ファイバ１を誤って挿入してしまい、誤った順序で整列してしまうことがある。この問題は、複数の光ファイバを所定の順序で整列させることを手作業で行う現場組立型光コネクタでは特に顕著であった。
【００７７】
しかし、本実施形態の光ファイバ整列用工具１０では、ファイバ挿入部２２同士の間は、分離部２１によって隔離されている。つまり、複数の光ファイバ１がファイバ挿入部２２に挿入された状態では、光ファイバ１同士の間は分離部２１によって隔離されている。このため、光ファイバ１同士の間に空間が空いてしまい、この空いた空間に挿入対象の光ファイバ１を誤って挿入してしまい、誤った順序で整列してしまうことを抑制することができる。これにより、複数の光ファイバ１を所定の順序及び所定のピッチで整列させ、保持する作業の作業性を向上させることができる。
【００７８】
＜変形例＞
・第１変形例
図１１Ａは、第１変形例の光ファイバ整列用工具１０の斜視図である。第１変形例の光ファイバ整列用工具１０では、ファイバ整列部１６は、分離部２１として、粘着部４７を有する。粘着部４７は、複数の光ファイバ１を粘着させることで、整列した複数の光ファイバ１の間を隔離する部位である。なお、第１変形例の光ファイバ整列用工具１０でも、ファイバ整列部１６は、本体部筐体１１Ａに対して上下方向に移動可能であり、下側レール部分４６にピン２３が位置している間は、粘着部４７が光ファイバ１同士の間から退避した状態となる。
【００７９】
・第２変形例
図１１Ｂは、第２変形例の光ファイバ整列用工具１０の本体部１１の斜視図である。第２変形例の光ファイバ整列用工具１０では、１つのファイバ挿入部２２に対して光ファイバ１を２本ずつ挿入する。このように、１つのファイバ挿入部２２に対して光ファイバ１を２本ずつ挿入する場合であれば、前述の比較例のように、光ファイバ１同士の間に別の光ファイバ１を誤って挿入することがない。すなわち、複数の光ファイバ１を誤った順序で整列してしまうおそれが小さい。
【００８０】
＝＝＝その他＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８１】
１  光ファイバ、６  ファイバホルダ、７  Ｖ溝、８  蓋部、
９  ホルダ本体、１０  光ファイバ整列用工具、１１  本体部、
１１Ａ  本体部筐体、１２  ホルダ載置部、１３  前側保持部、
１４  ファイバクランプ、１５  橋部、１６  ファイバ整列部、
１７  ファイバ保持部、１８  スライド部、１９  本体側蓋部、
２０  識別部、２１  分離部、２２  ファイバ挿入部、
２３Ａ・２３Ｂ  ピン、２４  溝、２５  テーパ部、
３０Ａ・３０Ｂ  レール部、３１Ａ・３１Ｂ  腕部、
３２Ａ・３２Ｂ  肩部、３４  ストッパー部、３５  凸部、
３６  係止部、３６Ａ  斜面、３７  弾性変形部、
４０  前側カバー、４１  前側溝部、４２  クランプカバー、
４４Ａ・４４Ｂ  上側レール部分、４５Ａ・４５Ｂ  傾斜部分、
４６Ａ・４６Ｂ  下側レール部分、４７  粘着部
【図１】
0006876107.tif 000002
【図２】
0006876107.tif 000003
【図３】
0006876107.tif 000004
【図４】
0006876107.tif 000005
【図５】
0006876107.tif 000006
【図６】
0006876107.tif 000007
【図７】
0006876107.tif 000008
【図８】
0006876107.tif 000009
【図９】
0006876107.tif 000010
【図１０】
0006876107.tif 000011
【図１１】
0006876107.tif 000012